(57)【特許請求の範囲】
【請求項１】
表示部を具備する撮像装置であって、
ファインダと、
前記表示部に撮影動作の禁止に関する所定の警告情報を表示しているか否かを判別する判別手段と、
物体が前記ファインダに接近したことを検知する接近検知手段と、
前記判別手段によって前記撮影動作の禁止に関する所定の警告情報を表示していると判別した場合は、前記接近検知手段により物体が接近したと検知されたとしても、前記表示部の表示を消さないように制御し、前記判別手段によって前記撮影動作の禁止に関する所定の警告情報を表示していないと判別した場合は、前記接近検知手段により物体が接近したと検知されたことに応じて、前記表示部の表示を消すように制御する制御手段とを備えたことを特徴とする撮像装置。
【請求項２】
前記表示部の表示を消すための操作部材を備え、前記制御手段は前記操作部材の操作に応じて、前記表示部の表示を消す制御を行うことを特徴とする請求項１に記載の撮像装置。
【請求項３】
前記制御手段は、前記判別手段により前記表示部の表示内容が前記撮影動作の禁止に関する所定の警告情報であると判別されたときは、前記接近検知手段により物体が接近したと検知されたとしても、前記表示部の表示を消さないように制御するとともに、前記表示部の表示態様を変更することを特徴とする請求項１又は２に記載の撮像装置。
【請求項４】
前記表示態様の変更とは、表示輝度の変更であることを特徴とする請求項３に記載の撮像装置。
【請求項５】
前記表示態様の変更とは、点灯表示から点滅表示への切り替えであることを特徴とする請求項３に記載の撮像装置。
【発明の詳細な説明】
【技術分野】
【０００１】
本発明は、画像表示及び撮像装置状態の情報表示を行う表示部を具備する撮像装置に関する。
【背景技術】
【０００２】
カメラの小型化により、撮影に必要な情報（シャッター速度Ｔｖ、絞り値Ａｖ等）と撮影画像とを同じ表示部にて表示するものがある。撮影に必要な情報（以下、「撮影情報」とも称する）であるＴｖ、Ａｖ等は、状況に応じて設定したり、確認したりするのに撮影前後で表示する必要がある。
【０００３】
また、画像表示に用いられる表示部としては、ＴＦＴ液晶等の液晶や有機ＥＬ等が知られている。それらは、表示の際に一定輝度の光にて表示を確認させる構成となっていることや、その大きさから、ファインダと同じくカメラの背面に配置される。そのため、ファインダを覗く時には表示部の表示が見えないし、表示部が一定以上の輝度で光っているとまぶしく煩わしいといった問題があった。また、省電力化のためにも、表示が不要な時には表示部の表示を消すことが望ましい。
【０００４】
そこで、撮影者がファインダを覗いているかどうか、すなわちファインダに接眼又は接顔しているか否かを検知して、撮影者がカメラを構えると同時に表示部の表示を自動的に消すようにしたものがある。このようなカメラの表示部の制御動作について、図８のフローチャートを参照して説明する。
【０００５】
表示部に画像、又は、カメラの状態情報の表示が開始されると（ステップＳ８０１）、タイマーを起動させてタイマーカウントを開始する（ステップＳ８０２）。タイマーによるタイマーカウントは、表示を消すタイミングを計るためと、接眼又は接顔しているかどうかの検知（本明細書では「顔検知」と称する）を周期的に行うためである。
【０００６】
そして、表示開始から所定時間だけ経過したか否かが判定され（ステップＳ８０３）、所定時間だけ経過していない場合は、続いて顔検知を行う（ステップＳ８０４）。
【０００７】
上記ステップＳ８０４において顔検知があった場合は、直ちに表示を消す（ステップＳ８０６）。それに対して、上記ステップＳ８０４において顔検知がなかった場合は、引き続きスイッチ操作があるか否かのチェックを行う（ステップＳ８０５）。その結果、スイッチ操作がなければ、ステップＳ８０２に戻ってタイマーカウントを継続し、スイッチ操作があれば、スイッチ操作に応じた処理を行うため表示を消す（ステップＳ８０６）。
【０００８】
上記ステップＳ８０３において所定時間だけ経過した場合は、直ちに表示を消す（ステップＳ８０６）。
【０００９】
【特許文献１】特開２００４−２０１１０４号公報
【発明の開示】
【発明が解決しようとする課題】
【００１０】
上記従来の技術では、撮影のためにファインダに顔が近づいたら、表示部の表示を自動的に消すことで、表示部の表示の煩わしさを低減させたり、省電力化を図ったりすることを実現している。
【００１１】
しかしながら、表示部の表示には、カメラの状態情報として、撮影情報表示だけでなく、撮影動作に支障があり、撮影禁止の警告表示が含まれる場合がある。そして、上記従来の技術では、その警告表示なされているときでも表示部の表示を自動的に消してしまっていた。
【００１２】
そのため、撮影者は、撮影禁止状態にあるのに、撮影しようとしてファインダを覗くといつも通り警告表示が消えるので、撮影できるものと思い込んでしまう。その結果、撮影を試みるが、撮影できずにレリーズチャンスを逃してしまうといった、操作上の問題や警告表示が役に立たないという問題がある。
【００１３】
本発明は上記のような点に鑑みてなされたものであり、表示部の表示の煩わしさを低減させたり、省電力化を図ったりする一方で、表示内容の本来の役目が損なわれないようにすることを目的とする。
【課題を解決するための手段】
【００１４】
本発明による撮像装置は、表示部を具備する撮像装置であって、ファインダと、前記表示部に撮影動作の禁止に関する所定の警告情報を表示しているか否かを判別する判別手段と、物体が前記ファインダに接近したことを検知する接近検知手段と、前記判別手段によって前記撮影動作の禁止に関する所定の警告情報を表示していると判別した場合は、前記接近検知手段により物体が接近したと検知されたとしても、前記表示部の表示を消さないように制御し、前記判別手段によって前記撮影動作の禁止に関する所定の警告情報を表示していないと判別した場合は、前記接近検知手段により物体が接近したと検知されたことに応じて、前記表示部の表示を消すように制御する制御手段とを備えたことを特徴とする。
【発明の効果】
【００１５】
本発明によれば、物体が撮像装置のファインダに接近したと検知されたときに、表示部の表示内容に応じて、その表示を消すか否かを制御するので、表示部の表示の煩わしさを低減させたり、省電力化を図ったりする一方で、表示内容の本来の役目が損なわれないようにすることができる。
【発明を実施するための最良の形態】
【００１６】
以下、添付図面を参照して、本発明の好適な実施形態について説明する。
（第１の実施形態）
図１は、本発明の実施形態に係る撮像装置であるデジタル一眼レフカメラ１００の構成を示す図である。
【００１７】
１２は撮像素子１４への露光量を制御するためのシャッターである。１４は光学像を電気信号に変換する撮像素子である。レンズユニット３００のレンズ３１０に入射した光線は、一眼レフ方式によって絞り３１２、レンズマウント３０６及び１０６、ミラー１３０、シャッター１２を介して導かれ、光学像として撮像素子１４上に結像する。
【００１８】
１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。測距制御部４２、測光制御部１６、フラッシュ制御部４８はそれぞれシステム制御部５０を介して、ＴＴＬ（スルー・ザ・レンズ）方式のＡＦ（オートフォーカス）処理、ＡＥ（自動露出）処理、ＥＦ（フラッシュ調光）処理を行う。さらに、画像処理回路２０においては、撮像した画像データを用いて所定の演算処理を行い、得られた演算結果に基づいてＴＴＬ方式の、ＡＷＢ（オートホワイトバランス）処理も行う。
【００２０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリである。２６はＤ／Ａ変換器である。２８はＴＦＴ ＬＣＤ等からなる画像表示部であり、画像表示メモリ２４に書き込まれた表示用の画像データはＤ／Ａ変換器２６を介して画像表示部２８により表示される。
【００２２】
画像表示部２８では、システム制御回路５０の指示で、画像の代わりに、カメラの状態情報も表示される。例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、レンズユニット３００の着脱状態表示、通信Ｉ／Ｆ動作表示、日付け・時刻表示、外部コンピュータとの接続状態を示す表示、カメラが検知した異常を知らせる警告表示、等がある。警告表示には、記録媒体２００の空き容量が無いものや初期化が必要なものを検知したり、撮影に必要なメモリ取得ができなかったりしたときに表示される、撮影又は記録不能な致命的な警告表示（撮影禁止の警告表示）がある。それ以外にも、記録媒体２００が装填されていないときに表示される注意喚起の警告表示等、他にも多数ある。
【００２３】
表示部２８で表示される情報は、その一部の機能が光学ファインダ１０４内に設置された表示部でも表示される。光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００２４】
画像表示部２８は、システム制御回路５０の指示により任意に表示をＯＮ／ＯＦＦすることが可能であり、表示をＯＦＦにした場合にはデジタル一眼レフカメラ１００の電力消費を大幅に低減させることができる。
【００２５】
３０は撮影した静止画像や動画像のデータを格納するためのメモリであり、所定枚数の静止画像や所定時間の動画像のデータを格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２７】
４０はシャッター制御部であり、測光回路４６からの測光情報に基づいて、絞り３１２を制御する絞り制御部３４０と連携しながら、シャッター１２を制御する。
【００２８】
４２はＡＦ（オートフォーカス）処理を行うための測距回路である。レンズ３１０に入射した光線を、一眼レフ方式によって、絞り３１２、レンズマウント３０６及び１０６、ミラー１３０そして不図示の測距用サブミラーを介して、測距回路４２に入射させることにより、光学像として結像された画像の合焦状態を測定する。
【００２９】
４６はＡＥ（自動露出）処理を行うための測光回路である。レンズ３１０に入射した光線を、一眼レフ方式によって、絞り３１２、レンズマウント３０６及び１０６、ミラー１３０及び１３２そして不図示の測光用レンズを介して、測光回路４６に入射させることにより、光学像として結像された画像の露出状態を測定する。また、測光回路４６は、フラッシュ４８と連携することによりＥＦ（フラッシュ調光）処理機能も有するものである。
【００３０】
４８はフラッシュであり、ＡＦ補助光の投光機能、フラッシュ調光機能も有する。５０はデジタル一眼レフカメラ１００全体を制御するシステム制御回路である。５２はシステム制御回路５０の動作用の定数、変数、プログラム等を記憶するメモリである。５６は電気的に消去・記録可能な不揮発性メモリであり、例えばＥＥＰＲＯＭ等が用いられる。
【００３１】
６０、６２、６４、６６、６８、７０及び７４は、システム制御回路５０の各種の動作指示を入力するための操作手段である。これら操作手段は、スイッチやダイアル、タッチパネル、視線検知によるポインティング、音声認識装置、センサ等の単数或いは複数の組み合わせで構成される。
【００３２】
ここで、これらの操作手段の具体的な説明を行う。６０はモードダイアルスイッチであり、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することができる。
【００３３】
６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００３４】
６４はシャッタースイッチＳＷ２であり、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３５】
６６は再生スイッチであり、撮影モード状態において、撮影した画像をメモリ３０或いは記録媒体２００から読み出して画像表示部２８によって表示する再生動作の開始を指示する。
【００３６】
６８は顔検知部であり、撮影のためにファインダに所定距離だけ顔が近づいたことを検知することができる。
【００３７】
７０は各種ボタンやタッチパネル等からなる操作部であり、メニューボタン、セットボタン、マクロボタン、マルチ画面再生改ページボタン、モードダイアル６０でシャッター速度優先撮影モードが設定されているときにシャッター速度を設定するためのシャッター設定手段、モードダイアル６０で絞り優先撮影モードが設定されているときに絞り値を設定するための絞り値設定手段、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ、等がある。また、上記プラスボタン及びマイナスボタンの各機能は、回転ダイアルスイッチを備えることによって、より軽快に数値や機能を選択することが可能となる。
【００３８】
７２は電源スイッチであり、デジタル一眼レフカメラ１００の電源オン、電源オフの各モードを切り替え設定することができる。また、デジタル一眼レフカメラ１００に接続されたレンズユニット３００、外部ストロボ、記録媒体２００の各種付属装置の電源オン、電源オフの設定も合わせて切り替え設定することができる。
【００３９】
７４は絞り込みスイッチであり、表示部５４で表示されている絞り値になるようにレンズユニット３００の絞り３１２を絞ることができる。
【００４０】
８０は電源制御部であり、電池検出回路、ＤＣ−ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４１】
８２はコネクタ、８４はコネクタである。８６はアルカリ電池やリチウム電池等の一次電池やＮｉＣｄ電池やＮｉＭＨ電池、Ｌｉ電池等の二次電池、ＡＣアダプター等からなる電源である。
【００４２】
９０はメモリカードやハードディスク等の記録媒体とのインタフェース、９２はメモリカードやハードディスク等の記録媒体と接続を行うコネクタ、９８はコネクタ９２に記録媒体２００が装着されているか否かを検知する記録媒体着脱検知部である。なお、本実施例では記録媒体を取り付けるインタフェース及びコネクタを１系統のみ持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。さらに、インタフェース９０、そしてコネクタ９２をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４３】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することができる。
【００４４】
１２０はインタフェースであり、レンズマウント１０６内において、デジタル一眼レフカメラ１００をレンズユニット３００と接続する。１２２はコネクタであり、デジタル一眼レフカメラ１００をレンズユニット３００と電気的に接続する。１２４はレンズ着脱検知部であり、レンズマウント１０６及び或いはコネクタ１２２にレンズユニット３００が装着されているか否かを検知する。コネクタ１２２は、デジタル一眼レフカメラ１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００４５】
１３０、１３２はミラーで、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００４６】
２００はメモリカードやハードディスク等の記録媒体である。記録媒体２００は、半導体メモリや磁気ディスク等から構成される記録部２０２、デジタル一眼レフカメラ１００とのインタフェース２０４、デジタル一眼レフカメラ１００と接続を行うコネクタ２０６を備えている。
【００４７】
３００は交換レンズタイプのレンズユニットである。３０６はレンズユニット３００をデジタル一眼レフカメラ１００と機械的に結合するレンズマウントである。レンズマウント３０６内には、レンズユニット３００をデジタル一眼レフカメラ１００と電気的に接続する各種機能が含まれている。
【００４８】
３１０は撮影レンズである。３１２は絞りである。３２０はインタフェースであり、レンズマウント３０６内において、レンズユニット３００をデジタル一眼レフカメラ１００と接続する。３２２はコネクタであり、レンズユニット３００をデジタル一眼レフカメラ１００と電気的に接続する。コネクタ３２２は、デジタル一眼レフカメラ１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００４９】
３４０は絞り制御部であり、測光回路４６からの測光情報、又は、撮像素子１４によって撮像した画像データを画像処理回路２０によって演算した演算結果に基づいて、シャッター１２を制御するシャッター制御手段４０と連携しながら絞り３１２を制御する。３４２は撮影レンズ３１０のフォーカシングを制御する測距制御部である。
【００５０】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリの機能も備えている。
【００５１】
図２は、本実施形態に係るデジタル一眼レフカメラ１００の外観図である。同図は、デジタル一眼レフカメラ１００を背面から見た図であり、図１で説明したフラッシュ４８やモードダイアル６０、操作部７０、再生スイッチ６６が適所に配置されている。また、光学ファインダ１０４、顔検知部６８、画像表示部２８は同一面（背面）に配置される。顔検知部６８としては、投光部及び受光部の各素子を備えて、三角測量の原理で正確な距離を測ることのできる機構でも良いし、投光部からの信号が受光部で受けられるかどうかで近くに物があるか否かを判別することのできる機構でも良い。
【００５２】
図３は、本実施形態に係るデジタル一眼レフカメラ１００の画像表示部２８での表示例を示す。通常、画像表示部２８の表示状態としては、（ａ）、（ｂ）、（ｃ）、（ｄ）の４つの表示状態があり、それらがカメラの状態に応じて遷移する。
【００５３】
図３（ａ）は撮影待機状態であり、省電力状態でない状態である。図３（ｄ）は撮影待機状態であるが、省電力のため表示を消している状態、又は、電源オフかそれに準ずるパワーオフ状態である。図３（ｂ）は撮影直後の画像確認状態、又は、画像再生状態である。図３（ｃ）は、撮影するにあたりなんらかの注意が必要な状態、又は、撮影できないこと警告するための警告表示状態である。
【００５４】
例えば撮影を行うときは、図３（ａ）の状態から、撮影後に図３（ｂ）の状態となり、再度図３（ａ）の状態となる。そして、操作している最中になんらかの注意、もしくは、警告すべきことが発生すると、図３（ｃ）の状態になって撮影者に通知する。
【００５５】
図３（ａ）、（ｂ）の状態で所定時間だけ放置されていると、省電力のため表示を消す状態（図３（ｄ））へと切り替わる。また、図３（ｃ）の状態のうち、予め定められた警告表示以外の警告表示がなされている状態で所定時間だけ放置されているときも、省電力のため表示を消す状態（図３（ｄ））へと切り替わる。
【００５６】
図４は、本実施形態に係るデジタル一眼レフカメラ１００の画像表示部２８の制御動作を説明するためのフローチャートである。画像表示部２８に画像の表示、カメラの状態情報の表示又は警告表示が開始されると（ステップＳ４０１）、それぞれの表示を消すタイミングを計るためと、顔検知を周期的に行うためにタイマーを起動させてタイマーカウントを開始する（ステップＳ４０２）。
【００５７】
そして、表示開始から所定時間だけ経過したか否かが判定され（ステップＳ４０３）、所定時間だけ経過していない場合は、続いて顔検知を行う（ステップＳ４０４）。
【００５８】
上記ステップＳ４０４において顔検知があった場合は、システム制御回路５０にて現在の表示内容を判別する（ステップＳ４０６）。その結果、通常の画像表示やカメラの状態の情報表示、又は、警告表示でも注意喚起のレベルのものである場合は、ステップＳ４０９に進み、直ちに表示を消す。一方、撮影禁止の警告表示である場合は、警告表示を解除するためのスイッチ操作があるか否かのチェックを行う（ステップＳ４０７）。そして、スイッチ操作がまったくなかったり、警告表示を解除する目的以外のスイッチ操作がされたりした場合には、タイマーカウントをクリア（初期化）した上で（ステップＳ４０８）、ステップＳ４０２に戻ってタイマーカウントを再開する。一方、ステップＳ４０７で警告表示を解除するためのスイッチ操作がされた場合には、ステップＳ４０９に進み、表示を消す。
【００５９】
それに対して、上記ステップＳ４０４において顔検知がなかった場合は、何らかのスイッチ操作があるか否かのチェックを行う（ステップＳ４０５）。その結果、スイッチ操作が一切なければ、ステップＳ４０２に戻ってタイマーカウントを継続する。ここで何らかのスイッチ操作があれば、スイッチ操作に応じた処理を行うため、表示を消す（ステップＳ４０９）。
【００６０】
また、ステップＳ４０３において所定時間だけ経過した場合は、ステップＳ４０９に進み、直ちに表示を消す。
【００６１】
以上述べたように、カメラ背面の画像表示部２８に撮影禁止の警告表示が行われているときは、顔検知があったときでも警告表示を直ちに消さないようにしたので、通常のカメラ状態でないことを撮影者に理解させて、適切な復帰処置を促すことができる。これにより、画像表示部２８の表示の煩わしさを低減させたり、省電力化を図ったりする一方で、警告表示の本来の役目が損なわれないようにすることができる。
【００６２】
なお、本実施形態では、撮影禁止の警告が必要なことがカメラ撮影中に発生した場合には、撮影禁止の警告表示がなによりも優先するということなので、撮影動作中、顔検知によって表示が消えている場合でも、撮影禁止の警告表示を行うようにしてもよい。
【００６３】
（第２の実施形態）
第２の実施形態では、画像表示部２８に撮影禁止の警告表示が行われているときは、顔検知があったときでも警告表示を消さないだけでなく、その表示態様も変更するようにした例である。なお、デジタル一眼レフカメラ１００の構成は上記第１の実施形態で説明したものと同様であり、以下では、上記第１の実施形態との相違を中心に説明する。
【００６４】
図５は、本実施形態に係るデジタル一眼レフカメラ１００の画像表示部２８の制御動作を説明するためのフローチャートである。画像表示部２８に画像、又は、カメラの状態情報の表示が開始されると（ステップＳ５０１）、表示を消すタイミングを計るためと、顔検知を周期的に行うためにタイマーを起動させてタイマーカウントを開始する（ステップＳ５０２）。
【００６５】
そして、表示開始から所定時間だけ経過したか否かが判定され（ステップＳ５０３）、所定時間だけ経過していない場合は、続いて顔検知を行う（ステップＳ５０４）。
【００６６】
上記ステップＳ５０４において顔検知があった場合は、システム制御回路５０にて現在の表示内容を判別する（ステップＳ５０６）。その結果、通常の画像表示や撮影情報表示、又は、警告表示でも注意喚起のレベルのものである場合は、直ちに表示を消す（ステップＳ５１０）。一方、撮影禁止の警告表示である場合は、警告表示を解除するためのスイッチ操作があるか否かのチェックを行う（ステップＳ５０７）。そして、スイッチ操作がまったくなかったり、警告表示を解除するためのスイッチが操作されなかったりした場合には、まず省電力化を図る目的で警告表示の明るさを通常時よりも暗くする（ステップＳ５０８）。その後、タイマーカウントをクリア（初期化）した上で（ステップＳ５０９）、ステップＳ５０２に戻ってタイマーカウントを再開する。
【００６７】
それに対して、上記ステップＳ５０４において顔検知がなかった場合は、何らかのスイッチ操作があるか否かのチェックを行う（ステップＳ５０５）。その結果、スイッチ操作が一切なければ、ステップＳ５０２に戻ってタイマーカウントを継続する。一方、ここで何らかのスイッチ操作があれば、スイッチ操作に応じた処理を行うため表示を消す（ステップＳ５１０）。
【００６８】
ステップＳ５０３において所定時間だけ経過した場合は、ステップＳ５１０に進み直ちに表示を消す。
【００６９】
なお、本実施形態では、ステップＳ５０８において省電力を図る目的で表示輝度を暗くしたが、逆に警告表示を目立たせるために表示輝度を明るくしてもよい。
【００７０】
（第３の実施形態）
第３の実施形態では、画像表示部２８に撮影禁止の警告表示が行われているときは、顔検知があったときでも警告表示を消さないだけでなく、その表示態様も変更するようにした例である。なお、デジタル一眼レフカメラ１００の構成は上記第１の実施形態で説明したものと同様であり、以下では、上記第１の実施形態との相違を中心に説明する。
【００７１】
図６は、本実施形態に係るデジタル一眼レフカメラ１００の画像表示部２８の制御動作を説明するためのフローチャートである。画像表示部２８に画像、又は、カメラの状態情報の表示が開始されると（ステップＳ６０１）、表示を消すタイミングを計るためと、顔検知を周期的に行うためにタイマーを起動させてタイマーカウントを開始する（ステップＳ６０２）。
【００７２】
そして、表示開始から所定時間だけ経過したか否かが判定され（ステップＳ６０３）、所定時間だけ経過していない場合は、続いて顔検知を行う（ステップＳ６０４）。
【００７３】
上記ステップＳ６０４において顔検知があった場合は、システム制御回路５０にて現在の表示内容を判別する（ステップＳ６０７）。その結果、通常の画像表示や撮影情報表示、又は、警告表示でも注意喚起のレベルのものである場合は、直ちに表示を消す（ステップＳ６１１）。一方、撮影禁止の警告表示である場合は、警告表示を解除するためのスイッチ操作があるか否かのチェックを行う（ステップＳ６０８）。そして、スイッチ操作がまったくなかったり、警告表示を解除するためのスイッチが操作されなかったりした場合には、まず警告表示を強調する目的で通常の点灯表示を点滅表示に切り替える（ステップＳ６０９）。その後、タイマーカウントをクリア（初期化）した上で（ステップＳ６１０）、ステップＳ６０２に戻ってタイマーカウントを再開する。
【００７４】
それに対して、上記ステップＳ６０４において顔検知がなかった場合は、何らかのスイッチ操作があるか否かのチェックを行う（ステップＳ６０５）。その結果、スイッチ操作が一切なければ、念のため点灯表示に設定に切り替えた上で（ステップＳ６０６）、ステップＳ６０２に戻ってタイマーカウントを継続する。一方、ここで何らかのスイッチ操作があれば、スイッチ操作に応じた処理を行うため表示を消す（ステップＳ６１１）。
【００７５】
上記ステップＳ６０３において所定時間だけ経過した場合は、ステップＳ６１１に進み直ちに表示を消す。
【００７６】
（第４の実施形態）
第４の実施形態では、画像表示部２８に撮影禁止の警告表示が行われているときは、タイマーの設定時間を変更するようにした例である。これにより、できるだけ顔検出をしないことで、それに掛かる電力消費を減らすことができるようにした一例である。なお、デジタル一眼レフカメラ１００の構成は上記第１の実施形態で説明したものと同様であり、以下では、上記第１の実施形態との相違を中心に説明する。
【００７７】
図７は、本実施形態に係るデジタル一眼レフカメラ１００の画像表示部２８の制御動作を説明するためのフローチャートである。画像表示部２８に画像、又は、カメラの状態情報の表示が開始されると（ステップＳ７０１）、システム制御回路５０にて現在の表示内容を判別する（ステップＳ７０２）。その結果、通常の画像表示や撮影情報表示、又は、警告表示でも注意喚起のレベルのものである場合は、タイマー１を設定する（ステップＳ７０３）。一方、撮影禁止の警告表示である場合は、タイマー２を設定する（ステップＳ７０４）。ここで、タイマー２の設定時間はタイマー１の設定時間より長くなっている。
【００７８】
その後、表示を消すタイミングを計るためと、顔検知を周期的に行うために、上記ステップＳ７０３又は７０４での設定に従ってタイマーを起動させてタイマーカウントを開始する（ステップＳ７０５）。
【００７９】
そして、表示開始から所定時間だけ経過したか否かが判定され（ステップＳ７０６）、所定時間だけ経過していない場合は、続いて顔検知を行う（ステップＳ７０７）。
【００８０】
上記ステップＳ７０７において顔検知があった場合は、システム制御回路５０にて現在の表示内容を判別する（ステップＳ７０９）。その結果、通常の画像表示や撮影情報表示、又は、警告表示でも注意喚起のレベルのものである場合は、直ちに表示を消す（ステップＳ７１２）。一方、撮影禁止の警告表示である場合は、警告表示を解除するためのスイッチ操作があるか否かのチェックを行う（ステップＳ７１０）。そして、スイッチ操作がまったくなかったり、警告表示を解除するためのスイッチが操作されなかったりした場合には、タイマーカウントをクリア（初期化）した上で（ステップＳ７１１）、ステップＳ７０５に戻ってタイマーカウントを再開する。
【００８１】
それに対して、上記ステップＳ７０７において顔検知がなかった場合は、何らかのスイッチ操作があるか否かのチェックを行う（ステップＳ７０８）。その結果、スイッチ操作が一切なければ、ステップＳ７０２に戻ってタイマーカウントを継続する。一方、ここで何らかのスイッチ操作があれば、スイッチ操作に応じた処理を行うため表示を消す（ステップＳ７１２）。
【００８２】
上記ステップＳ７０６において所定時間だけ経過した場合は、ステップＳ７１２に進んで、直ちに表示を消す。
【００８３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００８４】
この場合、記憶媒体から読み出されたプログラムコード自体が上述した実施形態の機能を実現することになり、プログラムコード自体及びそのプログラムコードを記憶した記憶媒体は本発明を構成することになる。
【００８５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００８７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００８８】
【図１】第１の実施形態に係る撮像装置であるデジタル一眼レフカメラの構成を示す図である。
【図２】第１の実施形態に係るデジタル一眼レフカメラの外観図である。
【図３】第１の実施形態に係るデジタル一眼レフカメラの画像表示部での表示例を示す図である。
【図４】第１の実施形態に係るデジタル一眼レフカメラの画像表示部の制御動作を説明するためのフローチャートである。
【図５】第２の実施形態に係るデジタル一眼レフカメラの画像表示部の制御動作を説明するためのフローチャートである。
【図６】第３の実施形態に係るデジタル一眼レフカメラの画像表示部の制御動作を説明するためのフローチャートである。
【図７】第４の実施形態に係るデジタル一眼レフカメラの画像表示部の制御動作を説明するためのフローチャートである。
【図８】従来の表示部の制御動作を説明するためのフローチャートである。
【符号の説明】
【００８９】
１２：シャッター
１４：撮像素子
１６：Ａ／Ｄ変換器
１８：タイミング発生回路
２０：画像処理回路 ２２：メモリ制御回路 ２４：画像表示メモリ ２６：Ｄ／Ａ変換器
２８：画像表示部
５０：システム制御回路
６８：顔検知部
７０：操作部
１００：デジタル一眼レフカメラ
【図１】
0004785536.tif 000002
【図２】
0004785536.tif 000003
【図３】
0004785536.tif 000004
【図４】
0004785536.tif 000005
【図５】
0004785536.tif 000006
【図６】
0004785536.tif 000007
【図７】
0004785536.tif 000008
【図８】
0004785536.tif 000009